(57)【要約】【課題】過度な加熱が防止できる無電極照明装置を提供する。【解決手段】無電極照明装置１０は、無電極蛍光管Ｌに電源を供給する安定器１１と、安定器１１からの通電により磁界を発生して、無電極蛍光管Ｌを点灯する誘導コイル１２と、安定器１１を内部に収納すると共に、誘導コイル１２が底面となる取り付け板１４に取り付けられることで、無電極蛍光管Ｌを保持するセード１３の筐体部１３ａとを備えている。筐体部１３ａに、安定器１１からの熱を放散させる通気孔として機能するスリット１３１が設けられている。安定器１１の底面は、取り付け板１４から隙間確保部材として機能するナット１１ｄにより離間している。取り付け板１４に、無電極蛍光管Ｌの方向に突出した凸部１４２が形成され、凸部１４２は、頂部から周囲に向かって拡がる傾斜面１４２ｂが、環状に形成された無電極蛍光管Ｌの孔内方向に出射する光を反射する反射面として形成されている。【選択図】図２
2014203558.tif 000002
【特許請求の範囲】
【請求項１】
無電極蛍光管に電源を供給する安定器と、
前記安定器からの通電により磁界を発生して、前記無電極蛍光管を点灯する誘導コイルと、
前記安定器を内部に収納すると共に、前記誘導コイルが底面に取り付けられることで、前記無電極蛍光管を保持する筐体部とを備え、
前記筐体部の底面と上部とに、前記安定器からの熱を放散させると共に、前記無電極蛍光管からの熱を、前記筐体部を通過させて放散させる通気孔が設けられ、
前記安定器の底面は、前記筐体部の底面から隙間確保部材により離間していることを特徴とする無電極照明装置。
【請求項２】
前記筐体部の底面に、前記無電極蛍光管の方向に突出した凸部が形成されている請求項１記載の無電極照明装置。
【請求項３】
前記凸部は、頂部から周囲に向かって拡がる傾斜面が、環状に形成された無電極蛍光管の孔内方向に出射する光を反射する反射面として形成されている請求項２記載の無電極照明装置。
【請求項４】
前記筐体部の底面に形成された通気孔は、前記無電極蛍光管の上方に対応する位置に形成されている請求項１から３のいずれかの項に記載の無電極照明装置。
【請求項５】
前記筐体部は、略椀状に形成され、
前記筐体部の上部に形成された通気孔は、放射状のスリットにより形成されている請求項４記載の無電極照明装置。
【発明の詳細な説明】
【技術分野】
【０００１】
本発明は、無電極蛍光管を電磁誘導により点灯させる無電極照明装置に関するものである。
【背景技術】
【０００２】
無電極照明装置は、無電極蛍光管に巻回した誘導コイルに、数十ｋＨｚから数ＭＨｚの電流を流して、無電極蛍光管内にプラズマ電流を発生させ、紫外線を発生させることで、ガラス管内に塗布された蛍光体を発光させる照明装置である。
【０００３】
このような無電極照明装置として特許文献１に記載されたものが知られている。
特許文献１の照明器具は、無電極蛍光灯が配置された筐体と、ガラス（透光性材料）で形成され且つ筐体の開口部を覆う形で配置された透光パネルとを備え、透光パネルには、空気流入孔が設けられると共に、反射部において空気流入孔と対応する位置に排気孔が設けられ、点灯装置（安定器）用の筐体の側壁に、点灯装置等から発生した熱を放熱するための放熱孔が穿設されていることが記載されている。
【先行技術文献】
【特許文献】
【０００４】
【特許文献１】特開２０１０−１０２９６１号公報
【発明の概要】
【発明が解決しようとする課題】
【０００５】
しかし、特許文献１に記載された照明装置では、安定器が発生した熱を、点灯装置用筐体から放熱させたり、無電極蛍光管が発生した熱を、筐体から放熱させたりして、それぞれの熱源への対策が施されているものの、無電極蛍光管が安定器に伝熱することの対策が考慮されていない。無電極蛍光管は発光することで約９０℃から１００℃の高温になり、その熱が安定器に伝わると、安定器の回路に使用される電解コンデンサなどの部品の寿命に影響を与える。そうなると、無電極照明装置を長期間使用していると点灯不良など信頼性を確保することが難しくなる。
【０００６】
そこで本発明は、安定器や無電極蛍光管からの熱を放熱させつつ、無電極蛍光管からの熱が安定器に伝わり難くすることで信頼性を高めることができる無電極照明装置を提供することを目的とする。
【課題を解決するための手段】
【０００７】
本発明の無電極照明装置は、無電極蛍光管に電源を供給する安定器と、前記安定器からの通電により磁界を発生して、前記無電極蛍光管を点灯する誘導コイルと、前記安定器を内部に収納すると共に、前記誘導コイルが底面に取り付けられることで、前記無電極蛍光管を保持する筐体部とを備え、前記筐体部の底面と上部とに、前記安定器からの熱を放散させると共に、前記無電極蛍光管からの熱を、前記筐体部を通過させて放散させる通気孔が設けられ、前記安定器の底面は、前記筐体部の底面から隙間確保部材により離間していることを特徴とする。
【０００８】
本発明の無電極照明装置によれば、筐体部の中で安定器が発熱しても、筐体部の底面と上部とに通気孔が形成されているため放熱させることができ、無電極蛍光管が筐体部の底面の下方で発熱しても、筐体部に形成された通気孔を通過して放散するため、過度な加熱を防止することができる。そして、安定器の底面は、筐体部の底面から隙間確保部材により離間しているため、無電極蛍光管によって筐体部の底面が加熱されても、安定器の底面に直接伝わり難い。無電極蛍光管によって加熱された筐体内の空気は、安定器の周囲に流れて、筐体部の上部の通気孔を介して外部に放散することができる。従って、無電極蛍光管からの熱を安定器に伝熱し難くすることができる。
【０００９】
前記筐体部の底面に、前記無電極蛍光管の方向に突出した凸部が形成されていることで、安定器の下方の放熱空間が拡張できるので、無電極蛍光管による加熱された筐体部の底面からの熱が安定器の底面に伝わり難くすることができる。
【００１０】
前記凸部は、頂部から周囲に向かって拡がる傾斜面が、環状に形成された無電極蛍光管の孔内方向に出射する光を反射する反射面として形成されているのが望ましい。凸部の傾斜面が環状の無電極蛍光管の孔内方向に出射する光を反射する反射面として機能するので、放熱空間を確保しつつ、本発明の無電極照明装置を、明るい照明とすることができる。
【００１１】
前記筐体部の底面に形成された通気孔は、前記無電極蛍光管の上方に対応する位置に形成されていると、筐体部の底面の通気孔から筐体部の上部の通気孔へと空気が流れるので、より冷却効果を向上させることができる。また、筐体部の底面の通気孔が、無電極蛍光管の上方に対応する位置に形成されていることで、下方からの観察によっても通気孔が見えないため、通気を確保しつつ、美観の低下を抑えることができる。
【００１２】
前記筐体部が、略椀状に形成され、前記筐体部の上部に形成された通気孔が、放射状のスリットにより形成されていると、スリットの長さを長くすれば通気孔の面積を増加させることができるので、通気孔の幅を拡げることでごみが筐体部内に混入する度合いを低く抑えることができる。
【発明の効果】
【００１３】
本発明の無電極照明装置は、無電極蛍光管によって加熱された筐体内の空気が、安定器の周囲に流れて、筐体部の上部の通気孔を介して外部に放散することができるので、無電極蛍光管からの熱を安定器に伝熱し難くすることができる。従って、本発明の無電極照明装置は、安定器や無電極蛍光管からの熱を放熱させつつ、無電極蛍光管からの熱が安定器に伝わり難くすることで信頼性を高めることができる。
【図面の簡単な説明】
【００１４】
【図１】本発明の実施の形態に係る無電極照明装置の正面図である。
【図２】図１に示す無電極照明装置を、安定器の幅方向に沿った方向から見た断面図である。
【図３】図１に示す無電極照明装置を、安定器の長さ方向に沿った方向から見た断面図である。
【図４】図１に示す無電極照明装置の底面図である。
【図５】図１に示す無電極照明装置の安定器と取り付け板との取り付けの構造を説明するための拡大図である。
【図６】図１に示す無電極照明装置の安定器を示す斜視図である。
【発明を実施するための形態】
【００１５】
本発明の実施の形態に係る無電極照明装置について、図面に基づいて説明する。
図１から図４に示すように、無電極照明装置１０は、工場や倉庫などの天井Ｃから吊り下げ金具Ｋにより設置される吊り下げ型の照明である。無電極照明装置１０は、環状の無電極蛍光管Ｌに電源を供給する安定器１１と、安定器１１からの通電により磁界を発生して、無電極蛍光管Ｌを点灯する誘導コイル１２と、無電極蛍光管Ｌを覆うセード１３と、安定器１１を内部に配置したセード１３の蓋となる取り付け板１４とを備えている。
【００１６】
安定器１１は、交流電源である電灯線から受けた２００Ｖ，５０Ｈｚ／６０Ｈｚを、低周波または高周波の交流電流へ変換して誘導コイル１２へ出力する。本実施の形態では、発振周波数が１４０ＫＨｚの安定器１１を採用している。安定器１１は、図６に示すように、回路部品が内蔵されるアルミ板により形成された直方体状の本体部１１ａに、本体部１１ａの両端部の下端から突出したねじ止め用の突出板１１ｂが形成されている。
安定器１１は、図５に示すように、取り付け板１４に、取り付け板１４側から差し込んだボルト１１ｃに、ナット１１ｄを１個介在させ、突出板１１ｂをはさみ込んだ状態で、ナットナット１１ｅをねじ込むことにより、固定されている。
【００１７】
図１から図４に示すように、誘導コイル１２は、無電極蛍光管Ｌにコイル部１２ａが巻き回され、コイル部１２ａの外周には、リング状の放熱部１２ｂが装着されている。誘導コイル１２は、無電極蛍光管Ｌの一側と、この一側と反対となる他側の２ヵ所に巻回されて、無電極蛍光管Ｌを保持している。誘導コイル１２は、配線が取り付け板１４を抜け、安定器１１に図示しないコネクタを介して接続されている。
【００１８】
セード１３は、全体形状が椀状に形成されたモールド成形品である。セード１３は、上部が、取り付け板１４を底面にした筐体部１３ａと、下部が、無電極蛍光管Ｌから周囲に拡がる光を反射して下方へ照光する反射部１３ｂとの機能を備えている。筐体部１３ａ内には、安定器１１が収納される。セード１３（筐体部１３ａ）の上部には、通気孔として機能するスリット１３１が形成されている。スリット１３１は、頂部から下部に向かって放射状に、かつ等間隔に形成されている。
筐体部１３ａの内側面には、セード１３の強度を向上させるためのリブ１３２が頂部から下部に向かって放射状に、かつ等間隔に形成されている。
【００１９】
取り付け板１４は、円盤状に形成されている。セード１３の内側空間を区切るようにしてセード１３に取り付けられている。取り付け板１４が筐体部１３ａの底面となることで、安定器１１を収納する収納部Ｓ１が形成されている。取り付け板１４には、誘導コイル１２の放熱部１２ｂが取り付けられることで、無電極蛍光管Ｌが配置される。取り付け板１４には、無電極蛍光管Ｌの上方に対応する位置に、通気孔として機能する小孔１４１が形成されている。本実施の形態では、無電極蛍光管Ｌが円形であるため、円周方向に沿って形成されている。取り付け板１４は、中央部に下方に向かって突出した凸部１４２が形成されている。凸部１４２は、頂面１４２ａが円形状の平坦面に形成されている。凸部１４２は、頂部から周囲に向かって拡がる緩やかな曲面による傾斜面１４２ｂが形成されている。この凸部１４２により、筐体部１３ａの内部空間は、安定器１１の下方が拡張されている。
【００２０】
以上のように構成された本発明の実施の形態に係る無電極照明装置１０の動作および使用状態を、図面に基づいて説明する。
図２および図３に示すように、安定器１１に電源が供給されると、安定器１１が誘導コイル１２に発振した電流を通電する。この通電により誘導コイル１２から高周波磁界が発生する。この高周波磁界により電磁誘導が生じて、無電極蛍光管Ｌ内の水銀ガスが励起され、紫外線が発生する。この発生した紫外線により無電極蛍光管Ｌの内周壁に塗布された蛍光体が励起されることにより、無電極蛍光管Ｌが発光する。
【００２１】
無電極照明装置１０に通電することで、安定器１１から熱が発生する。安定器１１が発散する熱は、上昇してスリット１３１から外部へ放散する。そして、新規の空気が、取り付け板１４の小孔１４１から流入する。これにより、安定器１１の熱が外部へ逃げるため、取り付け板１４を底面とした筐体部１３ａに熱が籠もることを防止することができる。  
【００２２】
スリット１３１は、縦長で長尺であるため、長方形状または正方形状の通気孔と同じ面積とするなら、スリット幅を狭くすることができる。従って、スリット１３１は、塵埃などの異物の混入を抑制しつつ、通気面積を確保することができる。特に、微小な塵埃であれば、スリット１３１から放熱による上昇気流によって、塵埃が吹き飛ばされ、塵埃の侵入が防止できるので、より効果が高い。
【００２３】
また、セード１３の反射部１３ｂにより囲まれた無電極蛍光管Ｌが発生する熱は、筐体部１３ａの底面となる取り付け板１４の小孔１４１から流入して、筐体部１３ａの上部に形成されたスリット１３１へと抜ける。このように、無電極蛍光管Ｌからの熱は、筐体部１３ａを通過して放熱する。
【００２４】
取り付け板１４の小孔１４１が、無電極蛍光管Ｌの上方に対応する位置に形成されているので、無電極照明装置１０を下方から見たときに、無電極蛍光管Ｌが小孔１４１を隠すため、通気を確保しつつ、美観の低下を抑えることができる。
【００２５】
無電極蛍光管Ｌからの熱が取り付け板１４を加熱すると、取り付け板１４が安定器１１の底面に向けて放熱を始める。しかし、図５に示すように、安定器１１は、ボルト１１ｃとナット１１ｄ，１１ｅにより取り付け板１４と繋がった状態であり、安定器１１の本体部１１ａの底面はナット１１ｄによりナット１個分の隙間で、取り付け板１４から離間している。従って、無電極蛍光管Ｌからの熱が取り付け板１４を加熱して取り付け板１４と安定器１１の底面との間の空気が加熱されても、加熱された空気が、安定器１１の周囲に流れて、図２および図３に示すスリット１３１を介して外部に放散される。そのため、無電極蛍光管Ｌからの熱が安定器１１に伝わり難い。従って、無電極照明装置１０は、安定器１１や無電極蛍光管Ｌからの熱を放熱させつつ、無電極蛍光管Ｌからの熱が安定器１１に伝わり難くすることで、信頼性を高めることができる。
【００２６】
また、取り付け板１４に、無電極蛍光管Ｌの方向に突出した凸部１４２が形成され、安定器１１が、凸部１４２によってできる空間を跨ぐように配置されていることで、安定器１１の下方の放熱空間Ｓ２を、ナット１個分の隙間から拡張することができる。従って、無電極蛍光管Ｌによる加熱された取り付け板１４からの熱が安定器１１の底面に伝わり難くすることができる。この凸部１４２は、傾斜面１４２ｂが、環状の無電極蛍光管Ｌの孔内方向に出射する光を反射する反射面として機能することで、無電極蛍光管Ｌの孔内方向への照光を、無電極照明装置１０の下方へ反射させることができるので、放熱空間を確保しつつ、無電極照明装置１０を明るい照明とすることができる。
【００２７】
このように、無電極蛍光管Ｌの発熱や安定器１１の発熱により筐体部１３ａ内が異常な高温になり、安定器１１に影響を与えてしまうことを抑制することができるので、セード１３を金属製でなく、モールドによる成形品により形成することができるので、意匠性の高い無電極照明装置１０とすることができる。
【００２８】
なお、本実施の形態では、円形状の無電極蛍光管Ｌを使用しているが、楕円形状でも球状でも、直線状でもよい。また、本実施の形態では、隙間確保部材としてナット１１ｄを使用しているが、円筒形状のスペーサなどとすることもできる。また、安定器１１と取り付け板１４との間の隙間を確保する隙間確保部材の設置位置を、取り付け板１４との固定位置と同じ位置としているが、安定器１１を取り付け板１４に固定する位置と異なる位置に隙間確保部材を配置してもよい。
【産業上の利用可能性】
【００２９】
本発明は、無電極蛍光管を電磁誘導により点灯させる無電極照明装置に好適である。
【符号の説明】
【００３０】
１０  無電極照明装置
１１  安定器
１１ａ  本体部
１１ｂ  突出板
１１ｃ  ボルト
１１ｄ，１１ｅ  ナット
１２  誘導コイル
１２ａ  コイル部
１２ｂ  放熱部
１３  セード
１３ａ  筐体部
１３ｂ  反射部
１３１  スリット
１３２  リブ
１４  取り付け板
１４１  小孔
１４２  凸部
１４２ａ  頂面
１４２ｂ  傾斜面
Ｌ  無電極蛍光管
Ｓ１  収納部
Ｓ２  放熱空間
【図１】
2014203558.tif 000003
【図２】
2014203558.tif 000004
【図３】
2014203558.tif 000005
【図４】
2014203558.tif 000006
【図５】
2014203558.tif 000007
【図６】
2014203558.tif 000008